(57)【要約】【課題】  多機能を有するタオルやハンカチ等の布状体を提供することを課題とする。【解決手段】  本発明は、タオルやハンカチ等の布状体１０であって、前記タオルやハンカチ等としての払拭機能と、飲料物等の容器Ｐを包囲して保持する保持機能とを有し、前記容器Ｐを包囲するように前記タオルやハンカチ等を折り畳んだ際、その形状を保つように、略矩形形状を有する前記タオルやハンカチの一つの角部１１Ａの近傍にボタン１２が設けられ、前記ボタン１２が設けられた角１１Ａ部以外の二つの角部１１Ｂ，１１Ｃの近傍に、前記ボタン１２に対応した穴部１３，１４が設けられていることを特徴としている。【選択図】  図１
2006043154.tif 000002
【特許請求の範囲】
【請求項１】
タオルやハンカチ等の布状体であって、
前記タオルやハンカチ等としての払拭機能と、飲料物等の容器を包囲して保持する保持機能とを有する
ことを特徴とする布状体。
【請求項２】
前記保持機能を発揮させるべく、
前記容器を包囲するように前記タオルやハンカチ等を折り畳んだ際、その形状を保つように、前記タオルやハンカチ等の所定箇所に、複数の係止手段が設けられている
請求項１に記載の布状体。
【請求項３】
前記係止手段として、
紐状部材、ボタン、および面ファスナの少なくとも一つを用いて構成された主係止手段と、
前記主係止手段に対応した紐状部材、穴部、および面ファスナの少なくとも一つを用いて構成された副係止手段とを備えた
請求項２に記載の布状体。
【請求項４】
タオルやハンカチ等の布状体であって、
前記タオルやハンカチ等としての払拭機能と、飲料物等の容器を包囲して保持する保持機能とを有し、前記容器を包囲するように前記タオルやハンカチ等を折り畳んだ際、その形状を保つように、
略矩形形状を有する前記タオルやハンカチの一つの角部の近傍にボタンが設けられ、
前記ボタンが設けられた角部以外の二つの角部の近傍に、前記ボタンに対応した穴部が設けられている
ことを特徴とする布状体。
【請求項５】
タオルやハンカチ等の布状体であって、
前記タオルやハンカチ等としての払拭機能と、飲料物等の容器を包囲して保持する保持機能とを有し、前記容器を包囲するように前記タオルやハンカチ等を折り畳んだ際、その形状を保つように、
略矩形形状を有する前記タオルやハンカチの一つの角部の近傍にボタンが設けられ、
前記ボタンが設けられた角部以外の二つの角部の近傍に、前記ボタンに対応した紐状部材が設けられている
ことを特徴とする布状体。
【請求項６】
略矩形形状を有する前記タオルやハンカチ等の略中央部分に前記容器を載置して、
前記容器の左側および右側に位置する前記タオルやハンカチ等の角部を、前記容器を包囲するように折り畳んだ後、
前記容器の下方側に位置する前記タオルやハンカチ等の角部を、前記容器を包囲するように折り畳むことによって、
前記容器を包囲して保持する保持機能を発揮し得る
請求項１から５のいずれか１項に記載の布状体。
【発明の詳細な説明】
【技術分野】
【０００１】
本発明は、タオルやハンカチ等としての機能と、飲料物等の容器を包囲して保持する保持機能とを有する布状体に関するものである。
【背景技術】
【０００２】
タオルやハンカチ等の主たる機能は、手を拭いたり顔を拭いたり、あるいは汚れを取り去ったりすることである。つまり、水分や汚れを払拭することが、タオルやハンカチ等の主たる機能である。そして、これらのタオルやハンカチ等は、通常、この水分や汚れの「払拭」以外の目的で使用されることは少ない。
【０００３】
なお、タオルに関する発明としては、例えば、特許文献１に記載のものが知られている。
【０００４】
【特許文献１】特開２００３−２６０００４号公報
【発明の開示】
【発明が解決しようとする課題】
【０００５】
上述したように、タオルやハンカチ等は、水分や汚れの払拭以外の目的で使用されることは少ない。特許文献１においては、部分的に他用途への利用についても触れられているが、それは、タオルの他用途への転用にすぎない。従来技術について、以下に具体的に説明する。
【０００６】
特許文献１にて開示された従来技術は、ファスナの基本的要素が縫製されたタオルに関するものであって、この従来技術の目的は、ファスナを用いて、二つのタオルをつなげてバスタオルとして使用したり、開口部を開閉したりすることである。
この場合、二つのタオルをつなげてバスタオルとして使用しても、その主目的が水分や汚れの払拭であることに変わりはない。また、タオルの開口部を開閉可能とし、携帯電話や歯磨きセットを入れるように構成しても、それは単にタオルを用いて「物いれ」を作ったに過ぎない。
【０００７】
つまり、特許文献１においては、タオルを本来の目的（払拭）で使用するか、その他の目的で使用するか、が示されているに過ぎずない。また、従来から、タオルやハンカチ等を水分や汚れの払拭の目的と、他の目的とに利用する態様は知られていない。
【０００８】
そこで、本発明は、タオルやハンカチ等の有効利用を図るためになされたものであって、タオルやハンカチ等としての機能（いわゆる「払拭機能」）と、飲料物等の容器を包囲して保持する保持機能とを有する、タオルやハンカチ等の布状体を提供することを課題とする。すなわち、本発明は、多機能を有するタオルやハンカチ等の布状体を提供することを課題とする。
【課題を解決するための手段】
【０００９】
本発明は、タオルやハンカチ等の布状体であって、前記タオルやハンカチ等としての払拭機能と、飲料物等の容器を包囲して保持する保持機能とを有することを特徴としている。
【００１０】
また、本発明にかかる布状体においては、前記保持機能を発揮させるべく、前記容器を包囲するように前記タオルやハンカチ等を折り畳んだ際、その形状（折り畳んだ形状）を保つように、前記タオルやハンカチ等の所定箇所に、複数の係止手段が設けられている構成が好ましい。
【００１１】
さらに、本発明にかかる布状体においては、前記係止手段として、紐状部材、ボタン、および面ファスナの少なくとも一つを用いて構成された主係止手段と、前記主係止手段に対応した紐状部材、穴部、および面ファスナの少なくとも一つを用いて構成された副係止手段とを備えた構成が好ましい。
【００１２】
また、本発明は、タオルやハンカチ等の布状体であって、前記タオルやハンカチ等としての払拭機能と、飲料物等の容器を包囲して保持する保持機能とを有し、前記容器を包囲するように前記タオルやハンカチ等を折り畳んだ際、その形状（折り畳んだ形状）を保つように、略矩形形状を有する前記タオルやハンカチの一つの角部の近傍にボタンが設けられ、前記ボタンが設けられた角部以外の二つの角部の近傍に、前記ボタンに対応した穴部が設けられていることを特徴としている。
【００１３】
また、本発明は、タオルやハンカチ等の布状体であって、前記タオルやハンカチ等としての払拭機能と、飲料物等の容器を包囲して保持する保持機能とを有し、前記容器を包囲するように前記タオルやハンカチ等を折り畳んだ際、その形状（折り畳んだ形状）を保つように、略矩形形状を有する前記タオルやハンカチの一つの角部の近傍にボタンが設けられ、前記ボタンが設けられた角部以外の二つの角部の近傍に、前記ボタンに対応した紐状部材が設けられていることを特徴としている。
【００１４】
さらに、本発明にかかる布状体においては、略矩形形状を有する前記タオルやハンカチ等の略中央部分に前記容器を載置して、前記容器の左側および右側に位置する前記タオルやハンカチ等の角部を、前記容器を包囲するように折り畳んだ後、前記容器の下方側に位置する前記タオルやハンカチ等の角部を、前記容器を包囲するように折り畳むことによって、前記容器を包囲して保持する保持機能を発揮し得る構成であることが好ましい。
【発明の効果】
【００１５】
本発明によれば、タオルやハンカチ等の有効利用を図ることが可能であって、具体的には、タオルやハンカチ等としての払拭機能と、飲料物等の容器を包囲して保持する保持機能とを有する布状体を得ることができる。つまり、本発明によれば、多機能を有するタオルやハンカチ等の布状体を得ることができる。
【発明を実施するための最良の形態】
【００１６】
以下、図面に基づいて、本発明の実施形態を説明する。
【００１７】
＜第一実施形態＞
図１は、本発明の第一実施形態にかかるハンドタオル１０（本発明の「布状体」に相当）の上面図を示したものである。より具体的には、払拭機能と容器保持機能とを有する、本発明にかかるハンドタオル１０（布状体）の概略上面図を示したものである。
【００１８】
この図１に示すように、本実施形態にかかるハンドタオル１０は、タオル本体部１１と、このタオル本体部１１に設けられたボタン１２（本発明の「係止手段」「主係止手段」「ボタン」に相当）と、タオル本体部１１に形成された第一穴部１３（本発明の「係止手段」「副係止手段」「穴部」に相当）と、タオル本体部１１に形成された第二穴部１４（本発明の「係止手段」「副係止手段」「穴部」に相当）と、タオル本体部１１に設けられた懸架紐部１５とを用いて構成されている。
【００１９】
より具体的には、本実施形態にかかるハンドタオル１０は、この図１に示すように、タオル本体部１１の左方側（図１における左方側）に位置する角部（以下「左方側角部」という。）１１Ａの近傍に（図１におけるタオル本体部１１の裏面側の左方側角部１１Ａの近傍に）、ボタン１２が設けられている。また、タオル本体部１１の右方側（図１における右方側）に位置する角部（以下「右方側角部」という。）１１Ｂの近傍に、第一穴部１３が穿孔されている。さらに、タオル本体部１１の下方側（図１における下方側）に位置する角部（以下「下方側角部」という。）１１Ｃの近傍に、第二穴部１４が穿孔されている。加えて、タオル本体部１１の上方側（図１における上方側）に位置する角部（以下「上方側角部」という。）１１Ｄの近傍に、懸架紐部１５が設けられている。
【００２０】
次に、図２は、本発明の第一実施形態にかかるハンドタオル１０の使用方法を説明するための図である。具体的には、本実施形態にかかるハンドタオル１０を用いてペットボトルＰ（本発明の「飲料物等の容器」に相当）を保持する際の保持方法を説明するための図である。
【００２１】
まず、本実施形態においては、図２（ａ）に示すように、タオル本体部１１の略中央部分にペットボトルＰを載置する。ペットボトルＰを載置した後、図２（ｂ）に示すように、タオル本体部１１の左方側角部１１Ａを、ペットボトルＰを包囲するように右側に折り畳む。このように、左方側角部１１Ａを折り畳むと、図２（ａ）の状態のときには、タオル本体部１１の裏面側に位置していたボタン１２が、ペットボトルＰ上において表面側に表出する（図２（ｂ）参照）。次いで、タオル本体部１１の右方側角部１１Ｂを、ペットボトルＰを包囲するように左側に折り畳む。この際には、左方側角部１１Ａに設けられているボタン１２に、右方側角部１１Ｂに穿孔されている穴部１３を係止させる（図２（ｃ）参照）。次いで、タオル本体部１１の下方側角部１１Ｃを、ペットボトルＰを包囲するように上方に折り畳んで、下方側角部１１Ｃに穿孔されている穴部１４を、ボタン１２に係止させる（図２（ｄ）参照）。
【００２２】
以上のように、本実施形態にかかるハンドタオル１０によれば、図２（ａ）〜図２（ｄ）に示すように、タオル本体部１１を折り畳み、且つボタン１２と穴部１３，１４とを係止させることによって、ペットボトルＰを適切に保持することができる。
【００２３】
また、本実施形態によれば、タオル本体部１１の上方側角部１１Ｄに懸架紐部１５が設けられているため、このようにタオル本体部１１でペットボトルＰを保持した状態で、この懸架紐部１５を手に持つことによって容易に持ち運びを行うことができる。さらに、懸架紐部１５をフックに架けることによって、簡単に、壁や机の横に吊り下げることができる。また、本実施形態によれば、鞄等の一部分（鞄等の横に設けられたフック、あるいは吊り下げ部材等）にこの懸架紐部１５を引っ掛けて、ペットボトルＰを容易に持ち運ぶことができる。
【００２４】
また、本実施形態にかかるハンドタオル１０は、外出等の際において、ポケット等に入れて払拭機能を発揮させるべく保持することが可能である。そして、必要に応じて（例えば、ペットボトルＰ等の保持が必要になった際に）、取り出して、図２に示した要領で、簡単にペットボトルホルダとして機能させ得る（容器保持機能を発揮させ得る）。さらに、本実施形態にかかるハンドタオル１０は、ペットボトルホルダとして使用し、ペットボトルＰ中の飲料物が無くなった場合には、ペットボトルＰを捨て、再度ポケット等に容易に収容可能である。
ところが、通常使用されているペットボトルホルダは、保持するペットボトルの相似形状であって、ペットボトルよりも大きなものが一般的である。また、これは、ペットボトルを保持する目的以外で使用されることはない。
つまり、本実施形態によれば、ハンドタオルとしての本来の機能（払拭機能）を有することに加えて、携帯性に優れたペットボトルホルダとしての機能（容器保持機能）を有することとなるため、多機能で有用なハンドタオル１０（布状体）を得ることができる。
【００２５】
＜第二実施形態＞
次に、本発明の第二実施形態について説明する。
【００２６】
図３は、本発明の第二実施形態にかかるハンドタオル２０（本発明の「布状体」に相当）の上面図を示したものである。より具体的には、第一実施形態と同様に払拭機能と容器保持機能とを有する、本発明にかかるハンドタオル２０（布状体）の概略上面図を示したものである。
【００２７】
この図３に示すように、本実施形態にかかるハンドタオル２０は、タオル本体部２１と、このタオル本体部２１に設けられた第一紐状部材２２（本発明の「係止手段」「副係止手段」「紐状部材」に相当）と、タオル本体部２１に形成された第二紐状部材２３（本発明の「係止手段」「副係止手段」「紐状部材」に相当）と、タオル本体部２１に形成された玉部２４（玉状のボタンや、玉状のビーズ等）（本発明の「係止手段」「主係止手段」「ボタン」に相当）と、タオル本体部２１に設けられた懸架紐部２５とを用いて構成されている。
【００２８】
より具体的には、本実施形態にかかるハンドタオル２０は、この図３に示すように、タオル本体部２１の左方側（図３における左方側）に位置する角部（以下「左方側角部」という。）２１Ａの近傍に（図３におけるタオル本体部２１の左方側角部２１Ａの上方辺部に）、第一紐状部材２２（リング状の紐状部材）が設けられている。また、タオル本体部２１の右方側（図３における右方側）に位置する角部（以下「右方側角部」という。）２１Ｂの近傍に（図３におけるタオル本体部２１の右方側角部２１Ｂの上方辺部に）、第二紐状部材２３（リング状の紐状部材）が設けられている。さらに、タオル本体部２１の下方側（図３における下方側）に位置する角部（以下「下方側角部」という。）２１Ｃに、玉部２４が設けられている。加えて、タオル本体部２１の上方側（図３における上方側）に位置する角部（以下「上方側角部」という。）２１Ｄの近傍に、懸架紐部２５が設けられている。
【００２９】
次に、図４は、本発明の第二実施形態にかかるハンドタオル２０の使用方法を説明するための図である。具体的には、本実施形態にかかるハンドタオル２０を用いてペットボトルＰ（本発明の「飲料物等の容器」に相当）を保持する際の保持方法を説明するための図である。
【００３０】
まず、本実施形態においては、図４（ａ）に示すように、タオル本体部２１の略中央部分にペットボトルＰを載置する。ペットボトルＰを載置した後、図４（ｂ）に示すように、タオル本体部２１の左方側角部２１Ａを、ペットボトルＰを包囲するように右側に折り畳む。次いで、タオル本体部２１の右方側角部２１Ｂを、ペットボトルＰを包囲するように左側に折り畳む。この際には、左方側角部２１Ａ近傍に設けられている第一紐状部材２２のリング部と、右方側角部２１Ｂ近傍に設けられている第二紐状部材２３のリング部とが重なり合わせる（図４（ｃ）参照）。次いで、タオル本体部２１の下方側角部２１Ｃを、ペットボトルＰを包囲するように上方に折り畳んで、下方側角部２１Ｃに設けられている玉部２４を第一および第二紐状部材２２，２３に係止させる（図４（ｄ）参照）。
【００３１】
以上のように、本実施形態にかかるハンドタオル２０によれば、図４（ａ）〜図４（ｄ）に示すように、タオル本体部２１を折り畳み、且つ玉部２４とそれぞれの紐状部材２２，２３とを係止させることによって、ペットボトルＰを適切に保持することができる。
【００３２】
また、この第二実施形態と第一実施形態とは、係止手段の構成以外は基本的に同様の構成を有している。したがって、先に説明した第一実施形態の有する効果を、当然のことながら、この第二実施形態も有する。
【００３３】
＜第三実施形態＞
次に、本発明の第三実施形態について説明する。
【００３４】
図５は、本発明の第三実施形態にかかるハンドタオル３０（本発明の「布状体」に相当）の上面図を示したものである。より具体的には、第一および第二実施形態と同様に払拭機能と容器保持機能とを有する、本発明にかかるハンドタオル３０（布状体）の概略上面図を示したものである。
【００３５】
この図５に示した第三実施形態にかかるハンドタオル３０は、穴部の数以外の構成については、第一実施形態にて説明したハンドタオルと略同様の構成を有している。そこで、以下においては、主に第一実施形態と異なる部分について説明する。
【００３６】
図５に示すように、本実施形態にかかるハンドタオル３０は、タオル本体部３１と、このタオル本体部３１に設けられたボタン３２（本発明の「係止手段」「主係止手段」「ボタン」に相当）と、タオル本体部３１に形成された複数の第一穴部３３ａ，３３ｂ，３３ｃ（本発明の「係止手段」「副係止手段」「穴部」に相当）と、タオル本体部３１に形成された複数の第二穴部３４ａ，３４ｂ，３４ｃ（本発明の「係止手段」「副係止手段」「穴部」に相当）と、タオル本体部３１に設けられた懸架紐部３５とを用いて構成されている。
【００３７】
より具体的には、本実施形態にかかるハンドタオル３０は、この図５に示すように、タオル本体部３１の左方側（図５における左方側）に位置する角部（以下「左方側角部」という。）３１Ａの近傍に（図５におけるタオル本体部３１の裏面側の左方側角部３１Ａの近傍に）、ボタン３２が設けられている。また、タオル本体部３１の右方側（図５における右方側）に位置する角部（以下「右方側角部」という。）３１Ｂの近傍に、タオル本体部３１の中央部から外側に向けて三つの第一穴部（内側第一穴部３３ａ，中側第一穴部３３ｂ，外側第一穴部３３ｃ）が穿孔されている。さらに、タオル本体部３１の下方側（図５における下方側）に位置する角部（以下「下方側角部」という。）３１Ｃの近傍に、タオル本体部３１の中央部から外側に向けて三つの第二穴部（内側第二穴部３４ａ，中側第二穴部３４ｂ，外側第二穴部３４ｃ）が穿孔されている。加えて、タオル本体部３１の上方側（図５における上方側）に位置する角部（以下「上方側角部」という。）３１Ｄの近傍に、懸架紐部３５が設けられている。
【００３８】
この第三実施形態にかかるハンドタオル３０は、以上のように構成されており、図２にて説明した方法と同様の方法でペットボトルＰ等を保持することができる。したがって、本実施形態にかかるハンドタオル３０によれば、先に説明した第一実施形態にて得られる効果を全て得ることができる。
【００３９】
また、この第三実施形態にかかるハンドタオル３０においては、図５に示すように、それぞれ三つずつの第一穴部３３ａ，３３ｂ，３３ｃと第二穴部３４ａ，３４ｂ，３４ｃとを有している。したがって、本実施形態によれば、ボタン３２に係止させる穴部を適宜選択可能であり、この係止穴部を選択することによって、保持するペットボトルの大きさに適切に対応することができる。
【００４０】
なお、本実施形態においては、それぞれ三つずつの穴部を設けた場合について説明したが、本発明はこの構成に限定されるものではなく、必要に応じて、二つ、あるいは四つ以上の穴部を設けてもよい。また、それぞれ同数の穴部を設けることにも限定されず、必要に応じて、第一穴部として二つ、第二穴部として三つというように、それぞれの穴部の数を異なるように構成してもよい。さらに、本実施形態においては、ボタンが一つで各穴部を複数設ける場合について説明したが、本発明はこの構成に限定されず、必要に応じて、ボタンを複数設けてもよい。勿論、ボタンを複数設け、穴部も複数設けてもよい。
【００４１】
また、本実施形態においては、ボタンと穴部とを用いて構成した場合（第一実施形態を発展させた形態）について説明したが、本発明はこの構成に限定されない。したがって、例えば、第二実施形態にて示した紐状部材等を用いた構成についても、同様に、複数の紐状部材等を用いて、ペットボトルの大きさに対応可能なハンドタオル（布状体）としてもよい。
【００４２】
＜第四実施形態＞
次に、本発明の第四実施形態について説明する。
【００４３】
図６は、本発明の第四実施形態にかかるハンドタオル（本発明の「布状体」に相当）の使用状態概略図を示したものである。より具体的には、図６（ａ）は使用状態正面図を示し、図６（ｂ）は使用状態背面図を示し、図６（ｃ）は図６（ｂ）の要部（破線領域）拡大図を示したものである。
【００４４】
この図６に示した第四実施形態にかかるハンドタオルは、懸架紐部４５の構成（長さ）以外は、第一実施形態にて説明したハンドタオルと略同様の構成を有している。そこで、以下においては、主に第一実施形態と異なる部分について説明する。
【００４５】
図６においては、図２にて説明した場合のペットボトルＰよりも大きめのペットボトルＱを保持した状態が示されている。
仮に、図１および図２にて説明したハンドタオルを用いて、この大きめのペットボトルＱを保持し、懸架紐部にてフック等に吊り下げると、保持されたペットボトルＱはバランスを崩して、ペットボトルホルダとして機能しているハンドタオル内から落下するおそれがある。そこで、この第四実施形態においては、このように大きめのペットボトルＱであっても、適切に保持してフック等に吊り下げ可能なハンドタオルを提供する。
【００４６】
図６に示すように、ペットボトルＱは、その本体部ＱＢの上方位置にキャップ部ＱＫが設けられ、そのキャップ部ＱＫと本体部ＱＢとの間にネック部ＱＮが設けられている。本実施形態にかかるハンドタオルは、このペットボトルＱのネック部ＱＮに懸架紐部４５を括り付けることによって（図６（ｂ）（ｃ）参照）、ペットボトルＱを適切に保持する。
【００４７】
つまり、本実施形態にかかるハンドタオルは、第一実施形態のものと比較して、タオル本体部１１の上方位置に設けられた懸架紐部４５が長めに構成されている。したがって、本実施形態によれば、図６に示すように、ペットボトルＱのネック部ＱＮに懸架紐部４５を括り付けた状態であっても、懸架紐部４５の上方の残りの部分で壁や机横に設けられたフック等に吊り下げることができる。このような構成であれば、ハンドタオル内にペットボトルＱが保持され、懸架紐部４５がネック部ＱＮを固定するため、安定した状態で容器保持機能を発揮させることができる。
【００４８】
また、本実施形態にかかるハンドタオルは、上述した懸架紐部４５以外は、基本的に第一実施形態と同様の構成を有しているため、以上の効果に加えて、先に説明した第一実施形態にて得られる効果を全て得ることができる。
【００４９】
さらに、本発明は上記第四実施形態に限定されず、必要に応じて種々の変更が可能であり、当然のことながら、第二実施形態にて説明したハンドタオルの懸架紐部を本実施形態にて説明したように長めに構成するものも本発明の技術的範囲に含まれる。
【００５０】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００５１】
したがって、例えば、図７に示すように、ハンドタオルを用いてペットボトルＰを保持した状態において、所定のキャラクタを表現するように、ハンドタオルに所定の模様を施してもよい。尚、この図７（ａ）（ｂ）に示されたハンドタオルは、それぞれのデザインを除けば、第一実施形態にて説明したハンドタオルと同様のものである。
【００５２】
ここで、図７（ａ）は、「犬」を模してハンドタオルを構成した際の使用状態正面図を示したものである。
この図７（ａ）においては、ハンドタオルの左方側５１Ａの裏面領域に「犬の右目」を施し、ハンドタオルの右方側５１Ｂの裏面領域に「犬の左目」を施し、ハンドタオルの下方側５１Ｃの裏面領域に「犬の口周辺」を施している。
このような模様を施したハンドタオルを用いてペットボトルＰを保持すれば、図７（ａ）に示すように、ボタン５２が「犬の鼻」を表現することとなって、使用状態（容器保持機能を発揮した状態）において、全体として「犬の顔」を表現可能となる。
【００５３】
また、図７（ｂ）は、「猫」を模してハンドタオルを構成した際の使用状態正面図を示したものである。
この図７（ｂ）においては、ハンドタオルの左方側６１Ａの裏面領域に「猫の右目とひげ」を施し、ハンドタオルの右方側６１Ｂの裏面領域に「猫の左目とひげ」を施し、ハンドタオルの下方側６１Ｃの裏面領域に「猫の口周辺」を施している。
このような模様を施したハンドタオルを用いてペットボトルＰを保持すれば、図７（ｂ）に示すように、ボタン６２が「猫の鼻」を表現することとなって、使用状態（容器保持機能を発揮した状態）において、全体として「猫の顔」を表現可能となる。
【００５４】
この図７に示すような構成によれば、単に二つの機能（払拭機能、容器保持機能）を有するにとどまらず、視覚的にも使用者を楽しませることができる。また、子供を中心として使用者の心を和ませ、購買意欲を高めることも可能となる。
【００５５】
また、上記各実施形態は、比較的小型のハンドタオルを用いて本発明にかかる布状体を構成する場合について説明したが、本発明はこの構成に限定されるものではない。
よって、例えば、スポーツタオル、家庭で用いられる一般的なタオル、あるいはバスタオル等に係止手段（主係止手段、副係止手段）を設けて、払拭機能と保持機能とを有する布状体としてもよい。このような場合には、大きな容器を保持可能となり、また、多数の紐状部材等を設ければ、小さな物から大きな物まで、また多数の物も保持可能となる。さらに、本発明は、より小さなハンカチ等にも勿論適用可能である。
【００５６】
さらに、上記各実施形態においては、係止手段として、ボタン、紐状部材、穴部を用いる場合について説明したが、本発明はこの構成に限定されるものではない。
したがって、例えば、係止手段（主係止手段、副係止手段）としては、面ファスナ、ホック、等を用いてもよい。
【００５７】
また、上記第一実施形態においてはボタンと穴部との組み合わせ、第二実施形態においてはボタンと紐状部材との組み合わせによって、布状部材の保持状態を確保する場合について説明したが、本発明はこの構成に限定されるものではない。
したがって、例えば、布状部材の左右両側と下方側とに、紐状部材を設けて、これらの紐状部材を結びつけることによって、布状部材の保持状態を確保してもよい。つまり、折り畳んで重ねあわされた布状部材を保持可能であれば、どのような係止手段を組み合わせてもよい。
【００５８】
一例をあげれば、図８に示すような構成としてもよい。図８は、本発明の他の実施形態にかかるハンドタオルの概略図を示したものである。より具体的には、図８（ａ）は、本実施形態にかかるハンドタオル（布状体）８０の上面図を示したものであり、図８（ｂ）は、本実施形態にかかるハンドタオル８０の使用状態正面図を示したものである。
本実施形態にかかるハンドタオル８０は、この図８に示すように、タオル本体部８１の左方側（図８（ａ）における左方側）に位置する角部（以下「左方側角部」という。）８１Ａの近傍に、第一棒状紐部材８２（本発明の「係止手段」「主係止手段」「紐状部材」に相当）が設けられている。また、タオル本体部８１の右方側（図８（ａ）における右方側）に位置する角部（以下「右方側角部」という。）８１Ｂの近傍に、第二棒状紐部材８３（本発明の「係止手段」「主係止手段」「紐状部材」に相当）が設けられている。さらに、タオル本体部８１の下方側（図８（ａ）における下方側）に位置する角部（以下「下方側角部」という。）８１Ｃの近傍に、タオル本体部８１の中央部から外側に向けて三組の穴部（内側穴部８４ａ，中側穴部８４ｂ，外側穴部８４ｃ）（本発明の「係止手段」「副係止手段」「穴部」に相当）が穿孔されている。加えて、タオル本体部８１の上方側（図８（ａ）における上方側）に位置する角部（以下「上方側角部」という。）８１Ｄの近傍に、懸架紐部８５が設けられている。
さらに、本実施形態においては、各棒状紐部材８２，８３が、それぞれ紐本体部（第一紐本体部８２ａ，第二紐本体部８３ａ）と、キャップ部（第一キャップ部８２ｂ，第二キャップ部８３ｂ）とを用いて構成されている。このキャップ部８２ｂ，８３ｂは、それぞれ紐本体部８２ａ，８３ａの先端部（タオル本体部８１に縫い付けられている端部と反対側の端部）を覆うように構成されている。
【００５９】
図８に示した実施形態においては、まず、タオル本体部８１の略中央部分にペットボトルＰを載置する。ペットボトルＰを載置した後、タオル本体部８１の左方側角部８１Ａを、ペットボトルＰを包囲するように右側に折り畳む。次いで、タオル本体部８１の右方側角部８１Ｂを、ペットボトルＰを包囲するように左側に折り畳む。次いで、タオル本体部８１の下方側角部８１Ｃを、ペットボトルＰを包囲するように上方に折り畳むと共に、下方側角部８１Ｃに設けられている穴部のいずれかの箇所に（この図８においては、内側穴部８４ａに）、その穴部の下側から左右に設けられた棒状紐部材８２，８３を通す。そして、図８（ｂ）に示すように、タオル本体部８１の下方側角部８１Ｃの表面側で、それぞれの棒状紐部材８２，８３を蝶結び等することによって、棒状紐部材８２，８３と穴部８４ａとを係止させて、ペットボトルＰを保持すべく包囲したハンドタオル８０の形状を保つことができる。
【００６０】
以上のように、本実施形態にかかるハンドタオル８０によれば、図８に示すように、タオル本体部８１を折り畳み、且つ棒状紐部材８２，８３と穴部８４ａとを係止させることによって、ペットボトルＰを適切に保持することができる。
また、本実施形態と第一実施形態とは、係止手段の構成以外は基本的に同様の構成を有している。したがって、先に説明した第一実施形態の有する効果を、当然のことながら、本実施形態も有する。
さらに、本実施形態によれば、各棒状紐部材８２，８３が、それぞれ紐本体部８２ａ８３ａと、キャップ部８２ｂ，８３ｂとを用いて構成されている。つまり、上述したように、紐本体部８２ａ，８３ａの先端部が、プラスチック等にて形成されたキャップ部８２ｂ，８３ｂにて覆われている。したがって、本実施形態によれば、棒状紐部材８２，８３を簡単に穴部８４ａ，８４ｂ，８４ｃに挿入することができる。また、この構成によって、棒状紐部材８２，８３の先端部の強度も高めることができる。
【００６１】
なお、本実施形態においては、各棒状紐部材８２，８３をペットボトルＰの前面側で単に蝶結びする場合について説明したが、本発明はこの構成に限定されるものではなく、必要に応じて種々の変更が可能である。したがって、例えば、少なくとも一方（両方でもいずれか一方でもよい）の棒状紐部材を長く構成して、棒状紐部材をペットボトルＰの周囲を巻回させた後に、ペットボトルＰの前面、側面、あるいは後面側で蝶結び等をして、棒状紐部材と穴部とを係止させて、ペットボトルを保持すべく、ハンドタオルを構成してもよい。このような構成によれば、棒状紐部材をペットボトルの周囲に巻回させることによって、より確実にペットボトルの保持を実施可能なハンドタオルを得ることができる。
また、その結び方は、上述した実施形態の「蝶結び」に限定されるものではなく、必要に応じて、種々の結び方でそれぞれの棒状紐部材を結んで係止してもよい。
【００６２】
さらに、上記各実施形態においては、まず、布状体の左右両側の角部を折り畳んだ後に、下方側の角部を折り畳んで、ペットボトル等の容器を保持する場合について説明したが、本発明はこの構成に限定されるものではなく、必要に応じて、他の順番で布状体を折り畳んで、容器保持機能を発揮すべく構成してもよい。例えば、布状体の下方側の角部を折り畳んだ後に、布状体の左右両側の角部を折り畳んで、ペットボトル等の容器を保持すべく構成してもよい。
【図面の簡単な説明】
【００６３】
【図１】本発明の第一実施形態にかかるハンドタオルの上面図を示したものである。
【図２】図１に示した第一実施形態にかかるハンドタオルに容器保持機能を発揮させる際の使用方法を示した図である。ここで、図２（ａ）はハンドタオルの略中央部にペットボトルを載置した状態を示す図、図２（ｂ）はペットボトルの左方側に位置するハンドタオルの角部をペットボトルを包囲するように折り畳んだ状態を示す図、図２（ｃ）はペットボトルの右方側に位置するハンドタオルの角部をペットボトルを包囲するように折り畳んだ状態を示す図、図２（ｄ）はペットボトルの下方側に位置するハンドタオルの角部をペットボトルを包囲するように折り畳んだ状態を示す図である。
【図３】本発明の第二実施形態にかかるハンドタオルの上面図を示したものである。
【図４】図３に示した第二実施形態にかかるハンドタオルに容器保持機能を発揮させる際の使用方法を示した図である。ここで、図３（ａ）はハンドタオルの略中央部にペットボトルを載置した状態を示す図、図３（ｂ）はペットボトルの左方側に位置するハンドタオルの角部をペットボトルを包囲するように折り畳んだ状態を示す図、図３（ｃ）はペットボトルの右方側に位置するハンドタオルの角部をペットボトルを包囲するように折り畳んだ状態を示す図、図３（ｄ）はペットボトルの下方側に位置するハンドタオルの角部をペットボトルを包囲するように折り畳んだ状態を示す図である。
【図５】本発明の第三実施形態にかかるハンドタオルの上面図を示したものである。
【図６】本発明の第四実施形態にかかるハンドタオルの使用状態概略図を示したものである。ここで、図６（ａ）は使用状態正面図、図６（ｂ）は使用状態背面図、図６（ｃ）は図６（ｂ）の要部（破線領域）拡大図を示したものである。
【図７】本発明のその他の実施形態にかかるハンドタオルの使用状態概略図を示したものである。ここで、図７（ａ）は「犬」を模してハンドタオルを構成した際の使用状態正面図、図７（ｂ）は「猫」を模してハンドタオルを構成した際の使用状態正面図を示したものである。
【図８】本発明の他の実施形態にかかるハンドタオルの概略図を示したものである。ここで、図８（ａ）は本実施形態にかかるハンドタオルの上面図を示したものであり、図８（ｂ）は本実施形態にかかるハンドタオルの使用状態正面図を示したものである。
【符号の説明】
【００６４】
１０，２０，３０，８０    ハンドタオル（布状体）
１１，２１，３１，８１    タオル本体部
１１Ａ，２１Ａ，３１Ａ，５１Ａ，６１Ａ，８１Ａ    左方側角部
１１Ｂ，２１Ｂ，３１Ｂ，５１Ｂ，６１Ｂ，８１Ｂ    右方側角部
１１Ｃ，２１Ｃ，３１Ｃ，５１Ｃ，６１Ｃ，８１Ｃ    下方側角部
１１Ｄ，２１Ｄ，３１Ｄ，５１Ｄ，６１Ｄ，８１Ｄ    上方側角部
１２    ボタン（係止手段、主係止手段）
１３    第一穴部（係止手段、副係止手段、穴部）
１４    第二穴部（係止手段、副係止手段、穴部）
１５，２５，３５，５５，６５，８５    懸架紐部
２２    第一紐状部材（係止手段、副係止手段、紐状部材）
２３    第二紐状部材（係止手段、副係止手段、紐状部材）
２４    玉部（係止手段、主係止手段、ボタン）
３２    ボタン（係止手段、主係止手段）
３３ａ    内側第一穴部（係止手段、副係止手段、穴部）
３３ｂ    中側第一穴部（係止手段、副係止手段、穴部）
３３ｃ    外側第一穴部（係止手段、副係止手段、穴部）
３４ａ    内側第二穴部（係止手段、副係止手段、穴部）
３４ｂ    中側第二穴部（係止手段、副係止手段、穴部）
３４ｃ    外側第二穴部（係止手段、副係止手段、穴部）
４５    懸架紐部（長めに構成された懸架紐部）
８２    第一棒状紐部材（係止手段、主係止手段、紐状部材）
８２ａ    第一紐本体部
８２ｂ    第一キャップ部
８３    第二棒状紐部材（係止手段、主係止手段、紐状部材）
８３ａ    第二紐本体部
８３ｂ    第二キャップ部
８４ａ    内側穴部（係止手段、副係止手段、穴部）
８４ｂ    中側穴部（係止手段、副係止手段、穴部）
８４ｃ    外側穴部（係止手段、副係止手段、穴部）
Ｐ，Ｑ    ペットボトル
ＱＢ    本体部
ＱＫ    キャップ部
ＱＮ    ネック部
【図１】
2006043154.tif 000003
【図２】
2006043154.tif 000004
【図３】
2006043154.tif 000005
【図４】
2006043154.tif 000006
【図５】
2006043154.tif 000007
【図６】
2006043154.tif 000008
【図７】
2006043154.tif 000009
【図８】
2006043154.tif 000010